【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
店舗に設置され、記憶媒体にコンテンツを書き込むための店舗端末であって、
利用者が自己の要求を入力するための入力手段と、
在庫記憶手段と、
外部の装置と通信するための通信手段と、
前記コンテンツを前記記憶媒体に書き込むための書き込み手段と、
前記書き込み手段を制御するための制御手段とを含み、
前記コンテンツが書き込まれた前記店舗端末の前記店舗における在庫情報を記憶するための前記制御手段は、
前記利用者による前記入力手段への前記コンテンツの賃貸要求と前記在庫情報とに基づいて、前記店舗における前記記憶媒体の数量を調整する在庫調整手段による調整結果に基づいて、前記通信手段により受信した前記コンテンツを前記記憶媒体に書き込むように前記書き込み手段を制御する店舗端末。
【請求項２】
店舗に設置され、記憶媒体に音声情報および映像情報のうち少なくとも一つを含む情報を書き込むための店舗端末であって、
外部の装置と通信するための通信手段と、
前記情報を前記記憶媒体に書き込むための書き込み手段と、
前記入力手段により入力された情報に基づいて、前記書き込み手段を制御するための制御手段とを含み、
利用者が自己の要求を入力するための入力手段と、
前記情報が書き込まれた前記記憶媒体に利用者固有の情報を記憶するための利用者情報記憶手段を含み、
前記入力手段は、前記利用者が自己の前記利用者情報を入力する店舗端末。
【請求項３】
コンテンツが記憶された、記憶媒体を管理するための記憶媒体管理システムであって、
前記記憶媒体管理システムは、
請求項１あるいは請求項２で記載された店舗端末と、
利用者が前記情報を再生するための利用者端末とを含む記憶媒体管理システム。
【請求項４】
前記制御手段は、前記在庫調整手段による調整結果に基づいて、前記通信手段により前記情報の受信を要求するための通信制御手段をさらに含む、請求項１記載の店舗端末。
【請求項５】
前記制御手段は、前記入力手段への前記賃貸要求に応じて、前記通信手段により前記情報の受信を要求するための通信制御手段をさらに含む、請求項１記載の店舗端末。
【請求項６】
前記制御手段は、
前記通信手段により前記コンテンツの供給元に対して前記コンテンツの受信を要求するための手段と、
前記供給元からの応答に応じて、前記書き込み手段により前記記憶媒体に前記コンテンツを書き込むとともに、前記在庫情報を更新するための手段とをさらに含む、請求項１記載の店舗端末。
【請求項７】
前記制御手段は、
前記入力手段へ入力された前記記憶媒体の返却要求に応じて、前記記憶媒体に記憶された前記コンテンツを消去するように前記書き込み手段を制御するためのコンテンツ消去手段と、
前記コンテンツ消去手段による前記コンテンツの消去に応じて、前記在庫情報を更新するための手段とをさらに含む、請求項１記載の店舗端末。
【請求項８】
前記制御手段は、前記賃貸要求に対応して、前記記憶媒体に複数の情報項目を書き込むように前記書き込み手段を制御するための手段をさらに含む、請求項１あるいは請求項２記載の店舗端末。
【請求項９】
前記制御手段は、前記記憶媒体の貸出日および返却予定日のうちの少なくとも一方を含む貸出情報を前記記憶媒体に書き込むように前記書き込み手段を制御するための手段をさらに含む、請求項１記載の店舗端末。
【請求項１０】
前記制御手段は、前記賃貸要求に応じて、前記記憶媒体の賃貸に対する対価である賃貸料金を算出するための手段をさらに含む、請求項１あるいは請求項２記載の店舗端末。
【請求項１１】
前記店舗端末は、前記貸出情報に基づいて、返却日が前記返却予定日を経過した延滞に対する対価である延滞料金を算出するための手段をさらに含む、請求項９記載の店舗端末。
【請求項１２】
前記制御手段は、算出された前記賃貸料金または前記延滞料金に基づいて、課金処理を行なうための課金手段をさらに含む、請求項１０または１１記載の店舗端末。
【請求項１３】
前記店舗端末は、前記利用者に関する情報を含む利用者情報を記憶するための利用者情報記憶手段をさらに含み、
前記制御手段は、
前記利用者情報に基づいて広告情報を作成し、前記記憶媒体に前記広告情報を書き込むように前記書き込み手段を制御するための手段を含む、請求項２記載の店舗端末。
【請求項１４】
前記広告情報作成手段は、前記利用者により要求された前記情報に関連した広告情報を作成するための手段を含む、請求項１３記載の店舗端末。
【請求項１５】
前記広告情報作成手段は、前記利用者が前記広告を閲覧したか否かを示す広告履歴情報に基づいて前記広告情報を作成するための手段を含む、請求項１３記載の店舗端末。
【請求項１６】
前記店舗端末は、前記利用者に関する情報を含む利用者情報を記憶するための利用者情報記憶手段をさらに含み、
前記制御手段は、
前記利用者情報に基づいて広告情報を作成するための広告情報作成手段と、
前記広告情報の視聴を前記利用者が回避できないように前記記憶媒体に前記情報を書き込むように前記書き込み手段を制御するための手段をさらに含む、請求項１あるいは請求項２記載の店舗端末。
【請求項１７】
前記制御手段は、前記利用者により前記記憶媒体に書き込まれたデータであって、前記広告に関連するデータに基づいて、前記広告履歴情報を前記記憶媒体に書き込むように前記書き込み手段を制御するための手段を含む、請求項１６記載の店舗端末。
【請求項１８】
前記店舗端末は、前記利用者に関する情報を含む利用者情報を記憶するための利用者情報記憶手段をさらに含み、
前記制御手段は、
前記利用者情報に基づいて広告情報を作成し、前記記憶媒体に前記広告情報を書き込むように前記書き込み手段を制御するための手段と、
前記通信手段により前記広告情報の供給元に前記利用者情報の送信を要求するための手段とを含む、請求項１あるいは請求項２記載の店舗端末。
【請求項１９】
前記店舗端末は、前記利用者についての情報を含む利用者情報を記憶するための利用者情報記憶手段をさらに含み、
前記制御手段は、
前記利用者情報に基づいて、前記音声情報および前記映像情報の賃貸の予告に関する予告情報を作成し、前記予告情報を前記記憶媒体に書き込むように前記書き込み手段を制御するための手段をさらに含む、請求項１あるいは請求項２記載の店舗端末。
【請求項２０】
前記予告情報作成手段は、前記利用者により要求された前記情報に関連した前記予告情報を作成するための手段を含む、請求項１９記載の店舗端末。
【請求項２１】
前記予告情報作成手段は、前記利用者が前記予告情報を閲覧したか否かを示す予告履歴情報に基づいて、前記予告情報を作成するための手段を含む、請求項１９記載の店舗端末。
【請求項２２】
前記店舗端末は、前記利用者についての情報を含む利用者情報を記憶するための利用者情報記憶手段をさらに含み、
前記制御手段は、
前記利用者情報に基づいて、前記音声情報および前記映像情報の賃貸の予告に関する予告情報を作成し、前記予告情報の視聴を前記利用者が回避できないように前記記憶媒体に前記情報を書き込むように前記書き込み手段を制御するための手段を含む、請求項１あるいは請求項２記載の店舗端末。
【請求項２３】
前記制御手段は、
複数の商品の情報を含む電子カタログを前記記憶媒体に書き込むように前記書き込み手段を制御するための手段と、
前記記憶媒体に含まれる、前記電子カタログにおいて利用者が購入を希望した前記商品の購入希望情報に基づいて、前記商品を発注するように前記通信手段を制御するための手段とをさらに含む、請求項１あるいは請求項２記載の店舗端末。
【請求項２４】
前記制御手段は、前記情報に暗号化処理を実行して、前記記憶媒体に前記暗号化処理された情報を書き込むように前記書き込み手段を制御するための手段を含む、請求項１あるいは請求項２記載の店舗端末。
【請求項２５】
前記制御手段は、前記暗号化された情報を復号化するための復号鍵を前記利用者に通知するための手段をさらに含む、請求項２４記載の店舗端末。
【請求項２６】
前記制御手段は、
前記店舗において賃貸可能な前記情報の項目リストを作成するためのリスト作成手段と、
前記項目リストを前記記憶媒体に書き込むように前記書き込み手段を制御するための手段とをさらに含む、請求項１あるいは請求項２記載の店舗端末。
【請求項２７】
前記リスト作成手段は、前記利用者の賃貸要求に関連した関連情報に基づいて、前記項目リストを作成するため手段を含む、請求項２６記載の店舗端末。
【請求項２８】
前記制御手段は、賃貸可能な前記情報の項目リストにおいて前記利用者により選択された要求情報を前記記憶媒体に書き込むように前記書き込み手段を制御するための手段を含む、請求項１あるいは請求項２記載の店舗端末。
【請求項２９】
前記店舗端末は、前記利用者の利用者端末において再生可能な情報についてのデータを記憶するための端末情報記憶手段をさらに含み、
前記制御手段は、前記データに基づいて、前記情報を選択するための情報選択手段をさらに含む、請求項１あるいは請求項２記載の店舗端末。
【請求項３０】
前記店舗端末は、前記利用者の利用者端末において再生可能な情報についてのデータを記憶するための端末情報記憶手段をさらに含み、
前記制御手段は、前記データに基づいて、前記利用者に対して前記利用者端末の再生環境への対応状況を通知するための手段を含む、請求項１あるいは請求項２記載の店舗端末。
【請求項３１】
前記制御手段は、前記利用者の利用者端末において再生可能な情報についてのデータの視聴を制限する情報を前記記憶媒体に書き込むように前記書き込み手段を制御するための手段含む、請求項１あるいは請求項２記載の店舗端末。